(57)【要約】      （修正有）【課題】従来と同等の性能を保ちながら、部品点数削減あるいは組立時間の短縮などで製造コストを下げる。【解決手段】撮影レンズ、テレビカメラ、マウント、フィルターディスク部、色分解プリズム、ＣＣＤなどの撮像素子、フィルターディスクを保持する本体７、つまみギア８、アイドラギア９、フィルターディスク１０、各種フィルター１１ａ〜１１ｄ、クリック板ばね１２から構成される。振れ止め部品は構成していない為、フィルターディスクは面振れを起こしながら回転する。このときクリック板ばねはフィルターディスクの板厚より厚い寸法で構成しているため、面振れを起こしてもフィルターディスクがクリック板ばねから脱落することは無い。【選択図】図２
2005250305.tif 000002
【特許請求の範囲】
【請求項１】
撮影レンズからの入射光束を複数のプリズムにより複数の色に分解を行う色分解プリズムに構成される色温度、濃度を選択するフィルターを複数枚設けたフィルターディスクにおいて、フィルターディスク位置決めのクリックを設け、該クリック部材は、フィルターディスクの板厚より厚い寸法で構成したことを特徴とするフィルターディスク。
【請求項２】
該フィルターディスクのクリック部材は、フィルターディスクを挟み込む形状としたことを特徴とする請求項１記載のフィルターディスク。
【発明の詳細な説明】
【技術分野】
【０００１】
本発明は、テレビカメラ等の撮影系に使用される色分解プリズムのフィルターディスク構造等に関するものである。
【背景技術】
【０００２】
従来より、カラーテレビカメラ等の撮影系において、撮影の際に用いる色温度変換フィルター等の各種フィルターを収納したフィルターディスクを１枚又は複数枚フィルターディスク装置内に設け、該枚フィルターディスク装置を撮影系の一部に配置している。そして、撮影条件に合ったフィルターをフィルターディスクより手動又は電動により適宜選択して撮影系に装着し、これにより撮影条件の適正化を計っている。フィルターディスク装置に関しては、特許文献１のフィルターディスクを始めさまざまな方式の装置が提案されている。図６及び図７は従来のフィルターディスクを表す図面であり、７はフィルターディスクを保持する本体、８はつまみギア、９はアイドラギア、１０はフィルターディスク、１１ａ〜１１ｄは各種フィルター、１２はクリック板ばね、１３はフィルターディスク７の面振れを抑える振れ止めである。
【０００３】
同図において、８のつまみギアに固定されている不図示のつまみを手動又は電動により回転させると、９のアイドラギア、１０のフィルターディスクとギア伝達されてフィルターディスクが回転する。光軸Ｏに所望のフィルターがきた所で１０ａのフィルターディスク外周に設けたクリック溝に、１２の板ばねが落ち込んで位置決めする。フィルターディスク回転中は、装置の姿勢差あるいはクリックバネ力で円周方向から力が加わる為に、フィルターディスクは面振れを起こしながら回転している。この面振れが大きい場合には、フィルターディスクがクリック板ばねから脱落して制御不能になってしまう為、これを防止する為の振れ止め部品を構成している。あるいはフィルターディスクのスラストがたを詳細に調整してフィルターディスクが面振れを起こしにくくなるように寸法管理している。
【特許文献１】特開平０８−１２５９２７
【発明の開示】
【発明が解決しようとする課題】
【０００４】
しかしながら、このフィルターディスク装置では、フィルターディスクからクリック板ばねが脱落するのを防止するための振れ止め部品を必要とする。あるいはフィルターディスクのスラストがたを組立時詳細に調整してフィルターディスクの面振れを抑えるなどの対応を行っており、前者は部品点数の増大を招き、後者は組立作業工数の増大を招いてコストアップするという問題点を持っていた。
【課題を解決するための手段】
【０００５】
上記目的を達成するため、本出願に係わる発明は、フィルターディスクの位置決めクリック板ばねの形状をフィルターディスクより厚く構成する、あるいはフィルターディスクの両サイドを挟み込む形状で構成することにより、製造コストを上げることなく良好なフィルターディスク装置を達成することができる。
【発明の効果】
【０００６】
以上説明したように、本発明によれば、フィルターディスクにおける位置決めクリックの形状をフィルターディスクより厚く構成する、あるいはフィルターディスクの両サイドを挟み込む形状で構成することにより、従来と同等の性能を保ちながら、部品点数削減あるいは組立時間の短縮などで製造コストを下げることができる。
【発明を実施するための最良の形態】
【０００７】
（実施例）
（第１の実施例）
図１〜３は本発明の特徴を最も表す図面であり、テレビカメラ等で使用される３ブロック型の色分解プリズムを構成したもので表している。同図において１は撮影レンズ、２はテレビカメラ、３はマウント、４はフィルターディスク部、５は色分解プリズム、６ａ・６ｂ・６ｃはＣＣＤなどの撮像素子、７はフィルターディスクを保持する本体、８はつまみギア、９はアイドラギア、１０はフィルターディスク、１１ａ〜１１ｄは各種フィルター、１２はクリック板ばねである。同図において、８のつまみギアに固定されている不図示のつまみを手動又は電動により回転させると、９のアイドラギア、１０のフィルターディスクとギア伝達されてフィルターディスクが回転する。光軸Ｏに所望のフィルターがきた所で１０ａのフィルターディスク外周に設けたクリック溝に１２のクリック板ばねが落ち込んで位置決めする。
【０００８】
上記構成において、従来例に構成している振れ止め部品は構成していない為、フィルターディスクは面振れを起こしながら回転する。このときクリック板ばねはフィルターディスクの板厚より厚い寸法で構成しているため、面振れを起こしてもフィルターディスクがクリック板ばねから脱落することは無い。
【０００９】
（第２の実施例）
図４・５は第２の実施例を表す図面であり、第１の実施例に対し、１２のクリック板ばねの形状が異なる以外は同様の構成である。同図において、１２のクリック板ばねはフィルターディスクの両端を挟み込むように突き出し部分１２ａを持つのが特徴であり、フィルターディスクが面振れを起こした場合は１２ａの突き出し部分に当たって面振れを抑えるため、フィルターディスクがクリック板ばねから脱落することは無い。
【００１０】
（その他の実施例）
第１の実施例では１枚構成のフィルターディスクについて説明したが、複数枚構成のフィルターディスクにも適用することは容易に考えられる。
【図面の簡単な説明】
【００１１】
【図１】本発明の第１の実施例に係わる撮影装置を表す図である。
【図２】本発明の第１の実施例に係わるフィルターディスク部を表す図である。
【図３】図２のＹ−Ｙ断面図である。
【図４】本発明の第２の実施例に係わるフィルターディスク部を表す図である。
【図５】図４のＺ−Ｚ断面図である。
【図６】従来例を説明する図である。
【図７】図７のＷ−Ｗ断面図である。
【符号の説明】
【００１２】
１  撮影レンズ
２  テレビカメラ
３  マウント
４  フィルターディスク部
５  色分解プリズム
６  ＣＣＤなどの撮像素子
７  本体
８  つまみギア
９  アイドラギア
１０  フィルターディスク
１１  各種フィルター
１２  クリック板ばね
１３  振れ止め
【図１】
2005250305.tif 000003
【図２】
2005250305.tif 000004
【図３】
2005250305.tif 000005
【図４】
2005250305.tif 000006
【図５】
2005250305.tif 000007
【図６】
2005250305.tif 000008
【図７】
2005250305.tif 000009